(57)【要約】【課題】深夜電力と、従量電灯とを有効活用できる電源切替え制御盤を提供する。【解決手段】深夜電力供給用配線と、従量電灯供給配線の２回戦を使用し、自然冷媒ヒートポンプ給湯機への通電を制御する電源切替え制御盤であって、積算電力計を介して供給される従量電灯線と、深夜時間帯の時間を計測して供給される深夜電力線を、ブレーカーを介して夫々接続する一対の電磁接触器と、この電磁接触器の接続を制御するリレーとから構成される。【選択図】        図１
0003153986.tif 000002
【実用新案登録請求の範囲】
【請求項１】
深夜電力供給用配線と、従量電灯供給配線の２回戦を使用し、自然冷媒ヒートポンプ給湯機への通電を制御する電源切替え制御盤であって、積算電力計を介して供給される従量電灯線と、深夜時間帯の時間を計測して供給される深夜電力線を、ブレーカーを介して夫々接続する一対の電磁接触器と、この電磁接触器の接続を制御するリレーとから構成されることを特徴とする電源切替え制御盤。
【考案の詳細な説明】
【技術分野】
【０００１】
本考案は、電源切替え制御盤であって、とくに安価な深夜時間帯における電力を有効に活用して、必要に応じて昼間の電力を併用して自然冷媒ヒートポンプ給湯機を稼動させる電源切替え制御盤に関するものである。
【背景技術】
【０００２】
従来より深夜時の安価な電力を利用した蓄熱暖房器、深夜型温水器などの機器が家庭用ばかりか、業務用として広く普及している。これら深夜時の電力を利用することは、エネルギー効率の点からも、またＣＯ２の削減の意味においても環境負荷軽減技術として重要なものである。
【０００３】
一方、自然冷媒ヒートポンプ給湯機を使用し、従来のガスや石油を使用せずに温水を確保する技術が開発され、深夜電力によって温水を確保する装置として広く使用されている。しかしこの給湯機は一般家庭であれば充分活用できるものの、業務用に利用する場合には昼間の利用状況によって温水が不足する虞があった。
【０００４】
そこで、同じ電源電線で電気器具の電源側に、深夜電力料金時間帯だけ通電し、その他の時間帯は通電を遮断する開閉器と、１日サイクルの所定の時間帯だけ通電するよう前記開閉器を制御するタイマーとを電源側に接続してなる電力切替装置において、前記タイマーの前記深夜電力料金時間帯とその他の時間帯の区分を、前記電気器具の消費した電力を検量する電力量計からの信号により同期させる深夜電力切替装置が提案されている（特許文献１参照。）。
【先行技術文献】
【特許文献】
【０００５】
【特許文献１】特開平０５−９１６６７号公報
【考案の概要】
【考案が解決しようとする課題】
【０００６】
しかしながら、上記特許文献１に記載の深夜電力切替装置は、同一の電源電線から供給される電力を効率よく利用し、深夜の時間帯とその他の時間帯で消費させる切替装置であり、既存の電源電線に対して追加して新たな電源電線を使用するものに対応するものではなかった。また、昼間において温水器などを追い炊きするためには、予めタイマーの設定を変更する必要があった。しかも、自然冷媒ヒートポンプ給湯機に対して有効な電源切替え制御盤は現時点において提案されていない。
【０００７】
上記の問題点に鑑み本考案者は、自然冷媒ヒートポンプ給湯機に電力を供給するに当たり、現在契約している従量電灯供給配線に対して、追加して深夜電力供給用配線を設置し、深夜時間帯とその他の時間帯とを効率よく利用可能な電源切替え制御盤を提供するに至った。
【課題を解決するための手段】
【０００８】
このため本考案の電源切替え制御盤は、深夜電力供給用配線と、従量電灯供給配線の２回戦を使用し、自然冷媒ヒートポンプ給湯機への通電を制御する電源切替え制御盤であって、積算電力計を介して供給される従量電灯線と、深夜時間帯の時間を計測して供給される深夜電力線を、ブレーカーを介して夫々接続する一対の電磁接触器と、この電磁接触器の接続を制御するリレーとから構成されることを特徴とする。
【考案の効果】
【０００９】
本考案に係る電源切替え制御盤によればという効果を有する。
【００１０】
しかも、制御盤に使用する一対の電磁接触器は、互いに電気的にロックされており、短絡などの誤作動を生じないという効果がある。
【図面の簡単な説明】
【００１１】
【図１】本考案に係る電源切替え制御盤を使用した一実施例を示す説明図である。
【図２】図１の部分拡大説明図である。
【図３】電源切替え制御盤内の展開接続図である。
【図４】電源切替え制御盤内の展開接続図である。
【考案を実施するための形態】
【００１２】
以下、本考案を実施例を示す図面を参照しながら説明するが、本考案が本実施例に限定されないことは言うまでもない。図１は、本考案の電源切替え制御盤を使用した一実施例を示す説明図、図２は図１の部分拡大説明図、図３は電源切替え制御盤を示す正面説明図、図４は図３の組立て説明図である。
【実施例】
【００１３】
図１、図２に示すように、本考案の電源切替え制御盤１は、電力会社から引き込まれる従量電灯電線２と、深夜電力専用電線３とがそれぞれ積算電力計４、４を介して接続されており、従量電灯電線２は既存電灯盤５からブレーカ６を介して接続し、深夜電力電線３はタイマー７とブレーカ６を介して接続されている。
【００１４】
電源切替え制御盤１内には、上記したそれぞれのブレーカ６、６と、後述する自然冷媒ヒートポンプ給湯機８とを接続する電磁接触器９、９が設けられ、パワーリレー１０によって接続が制御されている。
【００１５】
図３、図４は電源切替え制御盤１内の展開接続図を示しており、従量電灯電線２と、深夜電力専用電線３とが、自然冷媒ヒートポンプ給湯機８との接続状態を示している。尚、図４ａは従量電灯が使用可能な時間帯の接続状態を示し、図４ｂは深夜電力を使用する時間帯の接続状態を示している。この構成において、午後１１時になるとタイマー７によって深夜契約の電力が深夜電力専用電線３から供給され、パワーリレー１０によって１〜２秒遅れて電磁接触器９がＯＮとなり、深夜電力を使用して自然冷媒ヒートポンプ給湯機８が稼動する。この際従量電灯電線２側の電磁接触器９はＯＦＦの状態となる。
【００１６】
また、午前７時になると、タイマー７によって深夜電力の供給が止まり、パワーリレー１０によって１〜２秒遅れて電磁接触器９がＯＦＦとなり、従量電灯電線２側の電磁接触器９がＯＮとなる。ここで、図４ａに示すスイッチ１１は予めＯＦＦの状態であり、自然冷媒ヒートポンプ給湯機８への電力供給はされることはない。そして、深夜時間帯に自然冷媒ヒートポンプ給湯機８によって作成された温水が不足する場合には、このスイッチ１１をＯＮにすることによって従量電灯を利用して自然冷媒ヒートポンプ給湯機８を稼動させて温水を作ることができる。
【００１７】
上記の構成による電源切替え制御盤によれば、自然冷媒ヒートポンプ給湯機を深夜の安価な電気料金で稼動させて温水を作成し、その他の時間であっても従量電灯を使用することで追い炊きができる。
【００１８】
以上の構成からなる、本考案の電源切替え制御盤は、自然冷媒ヒートポンプ給湯機に電力を供給するに当たり、現在契約している従量電灯供給配線に対して、追加して深夜電力供給用配線を設置し、深夜時間帯とその他の時間帯とを効率よく利用可能であり、しかも制御盤に使用する一対の電磁接触器は、互いに電気的にロックされており、短絡などの誤作動を生じることがない。
【符号の説明】
【００１９】
１              電源切替え制御盤
２              従量電灯電線
３              深夜電力専用電線
４              積算電力計
５              既存電灯盤
６              ブレーカ
７              タイマー
８              自然冷媒ヒートポンプ給湯機
９              電磁接触器
１０              パワーリレー
１１              スイッチ
【図１】
0003153986.tif 000003
【図２】
0003153986.tif 000004
【図３】
0003153986.tif 000005
【図４】
0003153986.tif 000006